(57)【特許請求の範囲】
【請求項１】
枚葉紙（７）を処理する機械内の枚葉紙案内装置の案内面上若しくは搬送胴上に枚葉紙を、空気力的に負荷可能なノズルによって保持する装置であって、各枚葉紙の下側に空気クッションが形成されるようになっている形式のものにおいて、
ノズル（２５）が、該ノズルの中央に配置されかつ圧力源（４１）に接続されていて空気噴射流を前記空気クッションに向けて流出させるためのブロー開口（２９）、及び該ブロー開口を中心として円形に配置されていて前記空気クッションから前記空気噴射流を逃がすための複数の流出開口（３１）を有していることを特徴とする、枚葉紙の無接触保持のための装置。
【請求項２】
ブロー開口（２９）が孔によって形成されており、かつ流出開口（３１）が同じく孔によって形成されている請求項１記載の装置。
【請求項３】
枚葉紙（７）を処理する機械内の枚葉紙案内装置の案内面上若しくは搬送胴上に枚葉紙を、空気力的に負荷可能なノズルによって保持する装置であって、各枚葉紙の下側に空気クッションが形成されるようになっている形式のものにおいて、
ノズル（２５）が、該ノズルの中央に配置されかつ圧力源に接続されていて空気噴射流を前記空気クッションに向けて流出させるためのブロー開口（２９）、及び該ブロー開口を中心として円形に配置されていて前記空気クッションから前記空気噴射流を逃がすための１つの流出通路（３６）を有していることを特徴とする、枚葉紙の無接触保持のための装置。
【請求項４】
ブロー開口（２９）がリング間隙ノズル（３７）を成している請求項１又は３記載の装置。
【請求項５】
リング間隙ノズル（３７）が、円形に配置された複数の孔（３９）から成っている請求項４記載の装置。
【請求項６】
ブロー開口（２９）が、5000パスカル乃至500000パスカルの圧力（ｐ）を供給されるようになっている請求項１又は３記載の装置。
【請求項７】
枚葉紙を処理する機械が輪転印刷機である請求項１又は３記載の装置。
【請求項８】
枚葉紙（７）を処理する機械内の枚葉紙案内装置の案内面上若しくは搬送胴上に枚葉紙を、空気力的に負荷可能なノズルによって保持する装置であって、各枚葉紙の下側に空気クッションが形成されるようになっている形式のものにおいて、
ノズル（２５）が、該ノズルの中央に配置されかつ圧力源に接続されていて空気噴射流を前記空気クッションに向けて流出させるための旋回流ノズル（４２）、及び該旋回流ノズルを中心として円形に配置されていて前記空気クッションから前記空気噴射流を逃がすための複数の流出開口（３１）を有していることを特徴とする、枚葉紙の無接触保持のための装置。
【請求項９】
枚葉紙（７）を処理する機械内の枚葉紙案内装置の案内面上若しくは搬送胴上に枚葉紙を、空気力的に負荷可能なノズルによって保持する装置であって、各枚葉紙の下側に空気クッションが形成されるようになっている形式のものにおいて、
ノズル（２５）が、該ノズルの中央に配置されかつ圧力源に接続されていて空気噴射流を前記空気クッションに向けて流出させるための旋回流ノズル（４２）、及び該旋回流ノズルを中心として円形に配置されていて前記空気クッションから前記空気噴射流を逃がすための１つの流出通路（３６）を有していることを特徴とする、枚葉紙の無接触保持のための装置。
【請求項１０】
旋回流ノズル（４２）が、互いにずらして配置された少なくとも２つの孔を有しており、該孔が出口面（４３）に対して傾斜している請求項８又は９記載の装置。
【請求項１１】
孔が出口面（４３）に対して６０°よりも小さい角度（α）を成している請求項１０記載の装置。
【請求項１２】
孔間の角度間隔が孔の数によって規定されている請求項１０記載の装置。
【請求項１３】
旋回流ノズル（４２）が、5000パスカル乃至500000パスカルの圧力（ｐ）を供給されるようになっている請求項８又は９記載の装置。
【発明の詳細な説明】
【０００１】
【発明の属する技術分野】
本発明は、胴の周壁面上に若しくは枚葉紙処理機械、殊に枚葉紙輪転印刷機の平らな案内面上に枚葉紙を殊に無接触状態で保持する装置に関する。
【０００２】
【従来の技術】
ドイツ連邦共和国特許出願公開第１９８１５７９４Ａ１号明細書により、枚葉紙処理機械の搬送胴若しくは渡し胴にブロー・吸引部材（吹き付け・吸い込み部材）を装着することが公知であり、ブロー・吸引部材が実質的にグリッパによって搬送される枚葉紙に吸引作用を生ぜしめて、これによって該枚葉紙を円筒壁面に保持するようになっている。導入される送風空気が、枚葉紙の下側を平行に流れて、枚葉紙を、設けられた吸引開口によって助成されて円筒壁へ引っ張る。枚葉紙と円筒壁との間の接触は、枚葉紙の刷りたての裏面を汚してしまうことになる。
【０００３】
【発明が解決しようとする課題】
本発明の課題は、枚葉紙処理機械内の案内面、若しくは枚葉紙搬送胴、或いは枚葉紙渡し胴において枚葉紙に保持力を生ぜしめる装置を改善して、保持力が枚葉紙をほぼ接触なしに胴の周面若しくは枚葉紙案内面の近傍に保持できるようにすることである。
【０００４】
【課題を解決するための手段】
前記課題を解決するために本発明に基づく構成では、ノズルが、該ノズルの中央に配置されかつ圧力源に接続されていて空気噴射流を、枚葉紙の下側に形成される空気クッションに向けて流出させるためのブロー開口、及び該ブロー開口を中心として円形に配置されていて前記空気クッションから前記空気噴射流を逃がすための複数の流出開口若しくは１つの流出通路を有している。
【０００５】
【発明の効果】
本発明に基づく手段によって特に利点として、空気クッション上での枚葉紙の保持がブロー空気・噴射流によって行われ、該ブロー空気・噴射流が枚葉紙の下側に空気流を生ぜしめて、流体力学的なパラドックス(hydrodynamisches Paradoxon)の利用に基づき枚葉紙への保持力を生ぜしめる。特に、刷りたての枚葉紙面（裏面若しくは表面）が胴周面に向けられる渡し胴において、本発明に基づく装置によって、刷りたてのインキによる胴の汚れ若しくは裏移りが避けられる。本発明に基づく手段を蓄え胴(Speichertrommel)に用いると、枚葉紙が枚葉紙の後縁部をつかむ引き渡し機構によって軽く緊締され得る。
【０００６】
平らな枚葉紙案内面のための使用例が例えば、枚葉紙をまず前当てで次いで横当てで整合する給紙テーブルにある。枚葉紙搬送方向と逆向きに枚葉紙前縁部に送風を送る前縁部送風機若しくはファンが、整合すべき若しくは見当合わせすべき枚葉紙とこれに続く枚葉紙との間の分離を助成する。しかしながら、整合すべき枚葉紙を給紙テーブルから吹き上げないために、本発明に基づく装置が用いられ、これによって一面において枚葉紙が給紙テーブル上に保持され、かつ他面において空気クッション上での側方の整合、即ち見当合わせが容易になる。
【０００７】
有利な実施態様が従属請求項に記載してある。
【０００８】
【発明の実施の形態】
輪転印刷機、例えば枚葉紙７を処理するための印刷機１が、１つの給紙装置２、少なくとも１つの印刷部３若しくは４及び１つの排紙装置６を有している。枚葉紙７が枚葉紙パイル８から取り出されて、個別化され、若しくは鱗状に供給テーブル９を介して印刷部３及び４に供給される。印刷部は公知の形式でそれぞれ版胴１１；１２を含んでいる。版胴１１；１２はそれぞれ、フレキシブルな版板の取り付けのための装置１３，１４を有している。さらに各版胴１１；１２に対応して、半自動版板交換若しくは全自動版板交換のための装置１６；１７が配置されている。
【０００９】
枚葉紙パイル８が昇降制御可能なパイルプレート１０上に載せられている。枚葉紙７の取り出しが枚葉紙パイル８の上側から吸着ヘッド１８を用いて行われ、吸着ヘッドが枚葉紙７の個別化のための複数の行程兼送りサッカー１９，２１を有している。さらに、上側の枚葉紙のさばき（分離）のための送風装置２２及びパイル案内のためのセンサー部材２３が設けられている。枚葉紙パイル８の整合、特に枚葉紙パイル８の上側の枚葉紙７の整合のために、側方及び後ろ側の複数のストッパが設けられている。さらに第１の印刷部３と第２の印刷部４との間に反転装置２４を設けてあり、転換装置が選択的に作動可能であり、その結果、表面印刷も裏面印刷も行われる。
【００１０】
渡し胴２６が、第１の印刷部３の圧胴２７と反転装置２４の蓄え胴２８との間に配置されている。渡し胴２６は周面に分配された多数の保持ノズル２５を有しており、該保持ノズルはブロー開口２９から成っており、ブロー開口がそれぞれ複数の流出開口３１によって取り囲まれており、ブロー開口２９と流出開口３１との間の間隔ａが一定であり、従ってブロー開口２９を中心とした流出開口３１の円形配置が行われている。ブロー開口は、送風空気噴射流がブロー開口の出口から搬送面に対してほぼ垂直に若しくは胴周壁面から半径方向に流出して、保持すべき枚葉紙７に当たるように配置されている。
【００１１】
平らな搬送面への本発明に基づく保持ノズル２５の配置のための例として、供給テーブル９が設けられている。この場合、供給テーブル９の前方の領域で前当て３２及び横当て３３の近傍、即ち枚葉紙７のずれ重なりのない領域に、本発明に基づく保持ノズル２５を配置することが可能である。
【００１２】
保持ノズル２５は図４に示す第２の実施例では、供給テーブル９の案内面若しくは渡し胴２６の周壁面に対して隆起した円形の部材３４によって形成されており、該部材が中央に噴射ブロー開口３５を有している。該実施例では必要な流出通路３６が、案内面、円形の部材３４の縁部と枚葉紙７との間に生じる空間によって形成されている。
【００１３】
第３の実施例では、ブロー開口としてリング間隙３７を用いてあり、リング間隙が１つ若しくは複数のウエブ３８（図７）を備えており、若しくはブロー開口が互いに密接する複数の孔３９（図６）によって形成されている。
【００１４】
第５の実施例では、ブロー開口として旋回流ノズル（渦流ノズル）を設けてあり、旋回流ノズルが少なくとも２つ、理想的には互いに１８０°ずらして配置された孔から成っている。該孔が流出面４３に対して所定の角度α（α＜６０°）、理想的にはほぼ３０°の角度を成している。図８に示す第５の実施例は、互いに１２０°ずらして配置された３つの孔から成る旋回流ノズル４２によって形成されている。旋回流ノズル４２の孔の数は、大きくてよく、この場合、孔間の角度（分配角）は、３６０°の等分の角度であるとよく、即ち、例えば５つの孔の場合には分配角は３６０°／５＝７２°である。
【００１５】
ブロー開口２９若しくは旋回流ノズル４２は、小さい空気圧ｐ＝ほぼ5000パスカル乃至ｐ＝ほぼ500000パスカルの圧力空気源４１に接続されて負荷されるようになっている。これによって生じる噴射流はブロー開口２９から実質的に垂直に、若しくは旋回流ノズル４２の場合に所定の角度を成して流出して、枚葉紙７にぶつかり、次いで枚葉紙７及び案内面に対してほぼ平行に広がり、流出開口３１に達する。これによって、半径方向に引き延ばされた空気流−流体力学的なパラドックス−が生じ、その結果、枚葉紙７が無接触で保持される。
【００１６】
枚葉紙が保持ノズル２５に対する最大間隔を下回ると、枚葉紙は保持ノズル２５によって吸引される。枚葉紙と保持ノズルとの間の間隔が最小間隔まで減少されると、枚葉紙下の圧力が増大して、枚葉紙７が保持ノズル２５によって押し離される。このような手段によって、枚葉紙の浮遊状態が生ぜしめられる。
【図面の簡単な説明】
【図１】輪転印刷機の概略側面図。
【図２】渡し胴の概略平面図。
【図３】供給テーブルの概略平面図。
【図４】本発明に基づく保持ノズルの第１の実施例を示す図。
【図５】本発明に基づく保持ノズルの第２の実施例を示す図。
【図６】本発明に基づく保持ノズルの第３の実施例を示す図。
【図７】本発明に基づく保持ノズルの第４の実施例を示す図。
【図８】本発明に基づく保持ノズルの第５の実施例を示す図。
【符号の説明】
１  印刷機、    ２  給紙装置、    ３，４  印刷部、    ６  排紙装置、７  枚葉紙、    ７ａ  次の枚葉紙、    ８  枚葉紙パイル、    ９  供給テーブル、    １０  枚葉紙プレート、    １１，１２  版胴、    １３，１４版板取り付け装置、    １６，１７  版板交換装置、    １８  吸着ヘッド、１９  行程サッカー、    ２１  送りサッカー、    ２２  送風装置、    ２３  検出部材、    ２４  ストッパ、    ２５  保持ノズル、    ２６  渡し胴、    ２７  圧胴、    ２８  蓄え胴、    ２９  ブロー開口、    ３１  流出開口、    ３２  前当て、    ３３  横当て（横見当合わせ装置）、    ３４部材、    ３５  噴射ブロー開口、    ３６  流出通路、    ３７  リング間隙、    ３８  ウエブ、    ３９  孔、    ４１  圧力空気源、    ４２  旋回流ノズル、    ４３  流出面
【図１】
0004410966.tif 000002
【図２】
0004410966.tif 000003
【図３】
0004410966.tif 000004
【図４】
0004410966.tif 000005
【図５】
0004410966.tif 000006
【図６】
0004410966.tif 000007
【図７】
0004410966.tif 000008
【図８】
0004410966.tif 000009